(57)【要約】【課題】溜水に浮遊している汚物を効果的に排出することができる水洗大便器を提供する。【解決手段】本発明は、洗浄水により洗浄される水洗大便器(1)であって、ボウル形状の汚物受け面(16)と、この汚物受け面の上部に形成されたリム部(18)と、汚物受け面の下方に形成され、溜水を貯留する壺部(20)と、を備えたボウル部(8)と、洗浄水と共に汚物を排出するために、壺部の底部に連通するように接続された排水トラップ管路(12)と、ボウル部に供給された洗浄水が、壺部の内側の側壁面に向けて導かれるように、壺部後方の汚物受け面に設けられた洗浄水ガイド部(40b)と、リム部に設けられた液膜吐水部(24)と、を有し、この液膜吐水部は、吐出された洗浄水が液膜状になって洗浄水ガイド部に衝突し、衝突した洗浄水が壺部の側壁面に沿って落下することにより、壺部の溜水内に縦方向の旋回流を誘発することを特徴としている。【選択図】図１
2018044401.tif 000002
【特許請求の範囲】
【請求項１】
洗浄水により洗浄されると共に、汚物を排出する水洗大便器であって、
ボウル形状の汚物受け面と、この汚物受け面の上部に形成されたリム部と、上記汚物受け面の下方に形成され、溜水を貯留する壺部と、を備えたボウル部と、
洗浄水と共に汚物を排出するために、上記壺部の底部に連通するように接続された排水トラップ管路と、
上記ボウル部に供給された洗浄水が、上記壺部の内側の側壁面に向けて導かれるように、上記壺部後方の上記汚物受け面に設けられた洗浄水ガイド部と、
上記リム部に設けられた液膜吐水部と、を有し、この液膜吐水部は、吐出された洗浄水が液膜状になって上記洗浄水ガイド部に衝突し、衝突した洗浄水が上記壺部の上記側壁面に沿って落下することにより、上記壺部の溜水内に縦方向の旋回流を誘発することを特徴とする水洗大便器。
【請求項２】
上記洗浄水ガイド部は、上記壺部の稜線と滑らかに連続するように、上記汚物受け面に形成された段部である請求項１記載の水洗大便器。
【請求項３】
上記洗浄水ガイド部を形成する上記段部は、上記汚物受け面の周方向における傾斜が、上記汚物受け面の最外周において最も緩やかであり、上記壺部に近づくにつれて急峻になっている請求項２記載の水洗大便器。
【請求項４】
上記洗浄水ガイド部を形成する上記段部は、上記汚物受け面の最外周において最も段差が小さく、上記壺部に近づくにつれて段差が大きくなっている請求項２又は３記載の水洗大便器。
【請求項５】
上記汚物受け面の後部には、上記壺部に連なる凹部が形成され、この凹部の一方の端部が、洗浄水が衝突する上記洗浄水ガイド部として機能する請求項１乃至４の何れか１項に記載の水洗大便器。
【請求項６】
上記汚物受け面に形成された上記凹部は、上記ボウル部の上記壺部から上記ボウル部の後端まで形成されている請求項５記載の水洗大便器。
【請求項７】
上記汚物受け面に形成された上記凹部は、上記ボウル部の後方に向かって幅が広くなる概ね扇形の形状を有する請求項５又は６記載の水洗大便器。
【請求項８】
上記液膜吐水部は、供給された洗浄水を、上記液膜吐水部から吐出される洗浄水の吐出方向に下り傾斜した下り傾斜面に沿うように吐出することにより、洗浄水を液膜状にして吐出する請求項１乃至７の何れか１項に記載の水洗大便器。
【請求項９】
上記液膜吐水部は、上記洗浄水ガイド部と対向するように、上記ボウル部の後方に設けられている請求項１乃至８の何れか１項に記載の水洗大便器。
【請求項１０】
上記液膜吐水部は、上記汚物受け面の上記凹部が形成された領域の内側に配置されている請求項５乃至９の何れか１項に記載の水洗大便器。
【請求項１１】
さらに、上記リム部に設けられたリム吐水部を有し、このリム吐水部は、吐出された洗浄水により上記汚物受け面上に水平方向の旋回流を形成する請求項１乃至１０の何れか１項に記載の水洗大便器。
【発明の詳細な説明】
【技術分野】
【０００１】
本発明は、水洗大便器に関し、特に、洗浄水により洗浄されると共に、汚物を排出する水洗大便器に関する。
【背景技術】
【０００２】
特許第３８１７７３４号公報（特許文献１）には、水洗大便器が記載されている。この特許文献１記載の水洗大便器においては、汚物を受けるボウル部上縁に設けられたリム吐水口から、水平方向に洗浄水を吐出することにより、ボウル部内に水平方向の旋回流を引き起こし、この旋回流によりボウル面全体を洗浄している。
【０００３】
一方、特開２０１５−１９６９６０号公報（特許文献２）には、水洗便器が記載されている。この特許文献２記載の水洗便器においても、ボウル部上縁に設けられたリム吐水口から、水平方向に洗浄水を吐出することにより、ボウル部内に水平方向の旋回流を引き起こしてボウル面全体を洗浄している。加えて、この水洗便器においては、ボウル部を旋回する洗浄水の流れをボウル部の底面に向けた流れとする誘導部が、ボウル部の後方側領域に設けられており、この誘導部によりボウル部内の溜水を上下方向に攪拌する流れを形成している。
【先行技術文献】
【特許文献】
【０００４】
【特許文献１】特許第３８１７７３４号公報
【特許文献２】特開２０１５−１９６９６０号公報
【発明の概要】
【発明が解決しようとする課題】
【０００５】
特許文献１記載の水洗大便器においては、ボウル部内には、リム吐水口から吐出された洗浄水による水平方向の旋回流が生成されるため、ボウル面の表面を洗浄する能力は高い。しかしながら、この水洗大便器は、溜水の上に浮遊している汚物を沈め、ボウル部の底部に接続された排水トラップへ汚物を排出する能力が低いという問題がある。このような問題は、特に、ボウル部内の溜水を排水トラップ管路に押し込む水流を生成するゼット吐水口を有しない水洗大便器において特に顕著となる。
【０００６】
一方、特許文献２記載の水洗便器は、溜水を上下方向に攪拌する流れを生成するための誘導部が設けられているので、溜水に浮遊している汚物を沈める効果が期待できる。しかしながら、特許文献２記載の水洗便器においても、リム吐水口から線状の水流としてボウル面上を旋回してきた洗浄水が誘導部により溜水中に流入するので、洗浄水には依然として水平方向の旋回成分が残っており、溜水を上下方向に攪拌する能力が低い。また、ボウル面上を旋回してきた洗浄水では、誘導部により溜水中に流入させても水勢が弱く、溜水を攪拌する能力が十分ではない。このため、特許文献２記載の水洗便器においては、溜水に浮遊している汚物を沈める効果は認められるものの、十分なものではなく、特に、節水化が進み、洗浄水の総量が少なくなった場合には、十分な排出性能が得られないおそれがある。
【０００７】
本発明は上記の課題を解決するためになされたものであり、溜水に浮遊している汚物を効果的に排出することができる水洗大便器を提供することを目的としている。
【課題を解決するための手段】
【０００８】
上述した課題を解決するために、本発明は、洗浄水により洗浄されると共に、汚物を排出する水洗大便器であって、ボウル形状の汚物受け面と、この汚物受け面の上部に形成されたリム部と、汚物受け面の下方に形成され、溜水を貯留する壺部と、を備えたボウル部と、洗浄水と共に汚物を排出するために、壺部の底部に連通するように接続された排水トラップ管路と、ボウル部に供給された洗浄水が、壺部の内側の側壁面に向けて導かれるように、壺部後方の汚物受け面に設けられた洗浄水ガイド部と、リム部に設けられた液膜吐水部と、を有し、この液膜吐水部は、吐出された洗浄水が液膜状になって洗浄水ガイド部に衝突し、衝突した洗浄水が壺部の側壁面に沿って落下することにより、壺部の溜水内に縦方向の旋回流を誘発することを特徴としている。
【０００９】
このように構成された本発明においては、汚物受け面の上部に形成されたリム部に設けられた液膜吐水部から洗浄水が吐出され、吐出された洗浄水が液膜状になって洗浄水ガイド部に衝突し、衝突した洗浄水が壺部の側壁面に沿って落下する。壺部の側壁面に沿って洗浄水が落下することにより、壺部の溜水内に縦方向の旋回流が誘発され、溜水に浮遊していた汚物が壺部の溜水内に沈められ、壺部の底部に接続された排水トラップ管路から洗浄水と共に排出される。
【００１０】
このように構成された本発明によれば、液膜吐水部から液膜状になって吐出された洗浄水が、洗浄水ガイド部に衝突して壺部の中に落下し、溜水内に縦方向の旋回流を誘発するので、溜水に浮遊した汚物を効率良く溜水の中に沈めることができ、浮遊した汚物を効果的にボウル部から排出することができる。
【００１１】
本発明において、好ましくは、洗浄水ガイド部は、壺部の稜線と滑らかに連続するように、汚物受け面に形成された段部である。
このように構成された本発明によれば、洗浄水ガイド部が、壺部の稜線と滑らかに連続した段部により構成されているので、洗浄水ガイド部に衝突した洗浄水を効率良く壺部の中に流入させることができ、液膜吐水部から吐出される洗浄水の水勢を大きく損なうことなく、壺部の中で強力な縦方向の旋回流を誘発することができる。これにより、溜水に浮遊した汚物を効率的に沈め、排出することができる。
【００１２】
本発明において、好ましくは、洗浄水ガイド部を形成する段部は、汚物受け面の周方向における傾斜が、汚物受け面の最外周において最も緩やかであり、壺部に近づくにつれて急峻になっている。
このように構成された本発明によれば、洗浄水ガイド部を形成する段部の傾斜が、汚物受け面の最外周において最も緩やかであり、壺部に近づくにつれて急峻にされているので、洗浄水ガイド部に衝突した液膜状の洗浄水をその形状を保ったまま壺部に流入させることができ、壺部の溜水内に、より強力な縦方向の旋回流を誘発することができる。
【００１３】
本発明において、好ましくは、洗浄水ガイド部を形成する段部は、汚物受け面の最外周において最も段差が小さく、壺部に近づくにつれて段差が大きくなっている。
このように構成された本発明によれば、洗浄水ガイド部を形成する段部の段差が、汚物受け面の最外周において最も小さく、壺部に近づくにつれて大きくされているので、洗浄水ガイド部に衝突した洗浄水の多くを壺部に導くことができ、壺部の溜水内に、より強力な縦方向の旋回流を誘発することができる。
【００１４】
本発明において、好ましくは、汚物受け面の後部には、壺部に連なる凹部が形成され、この凹部の一方の端部が、洗浄水が衝突する洗浄水ガイド部として機能する。
このように構成された本発明によれば、汚物受け面の後部に壺部に連なる凹部が形成され、この凹部の一方の端部が洗浄水ガイド部として機能するので、洗浄水ガイド部に衝突した洗浄水は即座に凹部の中に落ち、凹部と連なる壺部に流入する。このため、液膜吐水部から液膜状になって吐出された洗浄水の多くを、比較的短い経路で壺部に流入させることができ、壺部の中で強力な縦方向の旋回流を誘発することができる。これにより、溜水に浮遊した汚物を効率的に沈め、排出することができる。
【００１５】
本発明において、好ましくは、汚物受け面に形成された凹部は、ボウル部の壺部からボウル部の後端まで形成されている。
このように構成された本発明によれば、凹部が壺部からボウル部の後端まで形成されているので、ボウル部の後端に沿って流れた洗浄水が、凹部の一方の端部（洗浄水ガイド部）に衝突して、凹部の中に落下する。この結果、液膜吐水部から液膜状になって吐出された洗浄水の大部分を、洗浄水ガイド部によって壺部に流入させることができ、壺部の中で強力な縦方向の旋回流を誘発することができる。これにより、溜水に浮遊した汚物を効率的に沈め、排出することができる。
【００１６】
本発明において、好ましくは、汚物受け面に形成された凹部は、ボウル部の後方に向かって幅が広くなる概ね扇形の形状を有する。
このように構成された本発明によれば、凹部がボウル部の後方に向かって幅が広くなる概ね扇形に形成されているので、液膜吐水部から液膜状になって吐出され、ボウル部の後部に流れた洗浄水の多くを凹部の中に集めることができ、集めた洗浄水を壺部の中に集中的に流入させることができる。この結果、壺部の中で強力な縦方向の旋回流を誘発することができ、溜水に浮遊した汚物を効率的に沈め、排出することができる。
【００１７】
本発明において、好ましくは、液膜吐水部は、供給された洗浄水を、液膜吐水部から吐出される洗浄水の吐出方向に下り傾斜した下り傾斜面に沿うように吐出することにより、洗浄水を液膜状にして吐出する。
このように構成された本発明によれば、液膜吐水部は、洗浄水の吐出方向に下り傾斜した下り傾斜面に沿って吐出することにより、洗浄水を液膜状にするので、吐出された洗浄水を効率良く液膜状にすることができる。液膜状の洗浄水は、壺部に流入すると強力な縦方向の旋回流を誘発することができるので、溜水に浮遊した汚物を効率的に沈め、排出することができる。
【００１８】
本発明において、好ましくは、液膜吐水部は、洗浄水ガイド部と対向するように、ボウル部の後方に設けられている。
このように構成された本発明によれば、液膜吐水部が、洗浄水ガイド部と対向するようにボウル部の後方に設けられているので、液膜吐水部から吐出された洗浄水は至近距離で洗浄水ガイド部に衝突する。このため、液膜吐水部から吐出された洗浄水は、吐出されたときの強い水勢を概ね維持したまま壺部に流入する。この結果、壺部の中で強力な縦方向の旋回流を誘発することができ、溜水に浮遊した汚物を効率的に沈め、排出することができる。
【００１９】
本発明において、好ましくは、液膜吐水部は、汚物受け面の凹部が形成された領域の内側に配置されている。
このように構成された本発明によれば、液膜吐水部が、汚物受け面の凹部が形成された領域の内側に配置されているので、液膜吐水部から吐出された洗浄水の大部分を凹部の中に落とし込むことができ、凹部の中に落ちた洗浄水を洗浄水ガイド部によって壺部に流入させることができる。これにより、大量の洗浄水を一気に壺部に流入させることができ、壺部の中で強力な縦方向の旋回流が誘発され、溜水に浮遊した汚物を効率的に沈め、排出することができる。
【００２０】
本発明において、好ましくは、さらに、リム部に設けられたリム吐水部を有し、このリム吐水部は、吐出された洗浄水により汚物受け面上に水平方向の旋回流を形成する。
このように構成された本発明によれば、吐出された洗浄水により汚物受け面上に水平方向の旋回流を形成するリム吐水部が、液膜吐水部とは別に備えられているので、汚物受け面に付着した汚物を効果的に洗い落とすことができ、ボウル部全体を効果的に洗浄することができる。
【発明の効果】
【００２１】
本発明の水洗大便器によれば、溜水に浮遊している汚物を効果的に排出することができる。
【図面の簡単な説明】
【００２２】
【図１】本発明の実施形態による水洗大便器を示す平面断面図である。
【図２】本発明の実施形態による水洗大便器を、図１のII−II線に沿って見た断面図である。
【図３】本発明の実施形態による水洗大便器を左右方向に延びる鉛直面に沿って切断した状態を示す斜視図である。
【図４】本発明の実施形態による水洗大便器を、図１のIV−IV線に沿って切断した断面図である。
【図５】本発明の実施形態による水洗大便器を、図１のV−V線に沿って切断した断面図である。
【図６】本発明の実施形態による水洗大便器を、図１のVI−VI線に沿って切断した断面図である。
【図７】本発明の実施形態による水洗大便器を、図１のVII−VII線に沿って切断した断面図である。
【図８】本発明の実施形態による水洗大便器を、図１のVIII−VIII線に沿って切断した断面図である。
【図９】本発明の実施形態による水洗大便器を、図１のIX−IX線に沿って切断した断面図である。
【図１０】本発明の実施形態による水洗大便器の洗浄水の流れの様子を示す概略平面図である。
【図１１】本発明の実施形態による水洗大便器の洗浄水の流れの様子を示す概略断面図である。
【発明を実施するための形態】
【００２３】
つぎに、図１乃至図１１を参照して、本発明の実施形態による水洗大便器について説明する。
先ず、図１及び図２により、本発明の実施形態による水洗大便器の基本構造を説明する。図１は本発明の実施形態による水洗大便器を示す平面断面図であり、図２は図１のII−II線に沿って見た断面図である。
【００２４】
図１及び図２に示すように、本実施形態の水洗大便器１は、ボウル部内の水の落差による流水作用で汚物を押し流す洗い落し式便器であり、便器本体２を備え、この便器本体２には、洗浄水源である貯水タンク（図示せず）を介して、洗浄水が導入されるようになっている。便器本体２は、表面に釉薬層が形成された陶器製であり、下部にスカート部６が形成され、上半分のうち前方にボウル部８が形成されている。また、ボウル部８の後方上部には、貯水タンク（図示せず）の排水口に接続される共通通水路１０が形成され、さらに、ボウル部８の後方下部に汚物を排出するための排水トラップ管路１２が形成されている。
【００２５】
本発明は、貯水タンクを備えた水洗大便器に限らず、ジェットポンプ機構を使用して洗浄水を供給する水洗大便器や、直接洗浄水が供給される直圧式水洗大便器等にも適用することができる。
【００２６】
ボウル部８は、ボウル形状の汚物受け面１６と、上縁に位置するリム部１８と、汚物受け面１６の下方に形成された壺部２０とを備えている。ここで、リム部１８の内周面１８ａは、図２に示すように、内側に向かってオーバーハングした形状となっており、後述する水平方向に旋回する洗浄水が外部へ飛び出ないようになっている。
【００２７】
ボウル部８のリム部１８の内周面の、前方から見て左側の中央部には、洗浄水を吐水するリム吐水部である第１リム吐水口２２が形成され、前方から見て右側後方側（下流側）には、液膜吐水部である第２リム吐水口２４が形成されている。これらの第１リム吐水口２２及び第２リム吐水口２４は、水平面上同一方向（図１では反時計回りの方向）に洗浄水を吐出するように向けられており、第１リム吐水口２２から吐出された洗浄水は、汚物受け面１６上に、水平方向に旋回する旋回流を形成するようになっている。
【００２８】
また、上述した水洗大便器１の後方上部に形成された共通通水路１０は、第１リム吐水口２２に洗浄水を供給する第１通水路２６及び第２リム吐水口２４に洗浄水を供給する第２通水路２８に分岐している。
なお、本実施形態の水洗大便器１においては、第１リム吐水口２２を含む第１通水路２６と、第２リム吐水口２４を含む第２通水路２８は、陶器製の便器本体２と一体に形成されているが、本発明は、このような形態に限られず、第１リム吐水口を含む第１通水路と、第２リム吐水口を含む第２通水路が便器本体とは別体のディストリビユータ等により形成されたものであってもよい。
【００２９】
さらに、図２に示すように、ボウル部８のリム部１８の内周面１８ａの下方領域には、洗浄水を導く棚形状の導水路３０が形成されている。なお、この導水路３０は、汚物受け面１６の外周端領域でもある。導水路３０は、第１リム吐水口２２から吐水された洗浄水がリム部１８の内周面１８ａに沿って汚物受け面１６の後端部へ旋回させるためのものである。
【００３０】
つぎに、図２に示すように、排水トラップ管路１２は、壺部２０の底面３６と接続し且つ後方下方へ延びる導入管路３２と、上昇管路３４ａと、下降管路３４ｂとから形成されている。
この導入管路３２は、壺部２０の底面３６と滑らかな連続湾曲面として繋がっており、壺部２０から導入管路３２に流入した洗浄水が導入管路３２内をスムーズに流れるようになっている。
【００３１】
つぎに、図１及び図２に示すように、ボウル部８の壺部２０は、上述したように、溜水水位Ｗより下方に位置する底面３６と、この底面３６と汚物受け面１６の下縁部とを接続する側壁面３８とを備えている。また、この底面３６は、導入管路３２の入口３２ａよりも前方の領域に形成され、ほぼ水平に形成されている。この底面３６は、後方に向けて下方に傾斜させてもよい。壺部２０の後方は、底部３６は形成されず側壁面３８が形成され、この側壁面３８が導入管路３２の入口３２ａと連続するように形成されている。
【００３２】
さらに、図１に示すように、汚物受け面１６の後部であって、壺部２０とボウル部８の後端部（汚物受け面１６の後縁部）との間の領域には、ボウル部８の後方に向かって幅が広くなる概ね扇形の凹部４０が壺部２０と連なるように形成されている。このように、汚物受け面１６に凹部４０を形成したことにより、凹部４０の両端には段部４０ａ、４０ｂが夫々形成され、これらの段部４０ａ、４０ｂは壺部２０の稜線と滑らかに連続している。本実施形態においては、第２リム吐水口２４は、水洗大便器１の前方から見てボウル部８の後方右側に設けられ、左方向に洗浄水を吐出するので、凹部４０の段部４０ａ、４０ｂのうち段部４０ｂ（本実施形態においては、左側の段部）が第２リム吐水口２４と対向するように向けられている。従って、本実施形態においては、第２リム吐水口２４と対向するように向けられた段部４０ｂが、第２リム吐水口２４から吐出した洗浄水が衝突し、衝突した洗浄水を壺部２０の側壁面３８に沿って落下させる洗浄水ガイド部として機能する。ここで、段部４０ｂは壺部に向かうにしたがってその角度が大きく、深くなるように形成されているため、洗浄水をガイドする際、液膜状の吐水を滑らかに壺部に向けることがでる。このように、洗浄水ガイド部（段部４０ｂ）に衝突し、壺部２０の側壁面３８に沿って落下した洗浄水は、壺部２０の中の溜水に縦方向の旋回流を誘発する。なお、本実施形態においては、第２リム吐水口２４と左側の段部４０ｂとの間の最短距離は約１６０ｍｍであり、好ましくは、これらの間の最短距離は約１３０ｍｍ〜約２００ｍｍに形成する。
【００３３】
つぎに、図３乃至図９を参照して、洗浄水ガイド部及び第２リム吐水口の構成を更に詳細に説明する。
図３は、水洗大便器１を、その左右方向に延びる鉛直面に沿って切断した状態を示す斜視図である。また、図４乃至図８は、水洗大便器１を図１におけるIV−IV線乃至VIII−VIII線に沿って切断した断面図である。さらに、図９は、水洗大便器１を図１におけるIX−IX線に沿って切断した断面図である。
【００３４】
図３に示すように、汚物受け面１６に凹部４０を設けたことにより形成される両側の段部４０ａ、４０ｂは、壺部２０の両側上縁の側部稜線２０ａ、２０ｂ（壺部２０の両側側部の側壁面３８と汚物受け面１６の内周が交わる線）と滑らかに連続している。また、壺部２０の後ろ側上縁と凹部４０の底面４０ｃも滑らかに交わり、壺部２０の後ろ側の後部稜線２０ｃを形成している。さらに、凹部４０の左右方向の幅は、壺部２０の後部稜線２０ｃにおいて最も狭く、後方に向かって広くなり、汚物受け面１６の後端部において最も広くなっている。換言すれば、段部４０ａと４０ｂの間の左右方向の隔たりは、汚物受け面１６の後端部において最も大きく、壺部２０の側部稜線２０ａ、２０ｂとの接続部において最も小さくなる。また、凹部４０の底面４０ｃは、汚物受け面１６の後端部から壺部２０に向かって下るように傾斜しており、凹部４０の深さは、汚物受け面１６の後端部において最も浅く、壺部２０の後部稜線２０ｃにおいて最も深くなっている。即ち、段部４０ａ、４０ｂは、汚物受け面１６の後端部（汚物受け面１６の最外周）において最も段差が小さく、壺部２０に近づくにつれて段差が大きくなっている。
【００３５】
なお、本実施形態においては、凹部４０の前端部（壺部２０に連なる部分）における幅は約１１５ｍｍであり、壺部２０の最大幅とほぼ同一に形成されている。また、凹部４０の後端部（リム部１８の内周面１８ａに接する部分）における幅は約１９５ｍｍである。好ましくは、凹部の後端部における幅は約１００ｍｍ〜約２４０ｍｍに形成し、壺部の中心に対して中心角約３８゜〜約１１０゜の範囲に凹部を形成する。さらに、本実施形態においては、凹部４０の深さは最深部で約１８ｍｍ、好ましくは、最深部の深さは約１０ｍｍ〜約３０ｍｍに形成する。
【００３６】
さらに、図４乃至図８に示すように、凹部４０の段部４０ａ、４０ｂから底面４０ｃに向かう斜面の左右方向の傾斜角（汚物受け面１６の周方向における傾斜角）は、汚物受け面１６の後端部（汚物受け面１６の最外周）において最も緩やかであり、壺部２０に近づくにつれて次第に傾斜が急峻になる。換言すれば、汚物受け面１６と凹部４０の底面４０ｃを接続する斜面は、汚物受け面１６の後端部において左右方向の傾斜が最も緩やかであり（図４）、底面４０ｃの前端部において左右方向の傾斜が最も急峻になる（図８）。なお、本実施形態においては、段部４０ｂから底面４０ｃに向かう斜面の左右方向の傾斜角は最大で約１５゜であり、好ましくは、最大の傾斜角を約５゜〜約２０゜に形成する。
【００３７】
次に、図１、図３及び図９を参照して、リム吐水部である第１リム吐水口２２及び液膜吐水部である第２リム吐水口２４の構成及び作用を説明する。
まず、図１に示すように、リム吐水部である第１リム吐水口２２は、ボウル部８の左側側部に設けられており、第１リム吐水口２２から吐出された洗浄水は汚物受け面１６の外周部に設けられた導水路３０によって導かれる。即ち、第１リム吐水口２２の床面と導水路３０の表面は概ね連続しており、第１リム吐水口２２から吐出された洗浄水は、概ね水平に形成された導水路３０の上に載せられて導かれる。導水路３０に沿って導かれている洗浄水は少しずつ汚物受け面１６上に流下して、汚物受け面１６上に反時計回りの水平方向の旋回流を形成して壺部２０に流入し、これにより汚物受け面１６が洗浄される。
【００３８】
これに対して、液膜吐水部である第２リム吐水口２４は、図３に示すように、ボウル部８の右側後端部の、凹部４０が設けられた領域の内側に形成されている。また、第２通水路２８の底面は、第２リム吐水口２４近傍より、第２リム吐水口２４からの吐出方向に向かって下り傾斜しており、この傾斜面は凹部４０の底面４０ｃと滑らかに連続し、壺部２０へ向かう下り傾斜面４２を形成する。即ち、第１リム吐水口２２から吐出された洗浄水は、第１リム吐水口２２の床面とほぼ連続した概ね水平な導水路３０によって導かれるのに対し、第２リム吐水口２４には、その床面と連続した概ね水平な導水路は設けられておらず、第２リム吐水口２４からの洗浄水は、第２リム吐水口２４の底面とほぼ連続し、洗浄水の吐出方向に下り傾斜した下り傾斜面４２に沿って吐出される。
【００３９】
このように、下り傾斜面４２に沿って吐出されると、洗浄水は重力とコアンダ効果によって下り傾斜面４２に張り付くように液膜状に広がりながら斜め下方に流れ（図３の矢印Ｆ１）、第２リム吐水口２４と対向するように設けられた左側の段部４０ｂ（洗浄水ガイド部）に衝突する。即ち、第１リム吐水口２２から概ね水平な導水路３０に沿って吐出された洗浄水が線状になって導水路３０上を流れ、汚物受け面１６上に少しずつ流下するのとは異なり、第２リム吐水口２４から下り傾斜面４２に吐出された洗浄水は、液膜状となって第２リム吐水口２４から斜め下方に流下する。本実施形態においては、第２リム吐水口２４からの吐水方向（汚物受け面１６の周方向）の傾斜が傾斜角約１３゜の下り傾斜面４２に沿って洗浄水を吐出させることにより、吐出された洗浄水を液膜状にしている。なお、傾斜角５゜〜２０゜の下り傾斜面に沿って洗浄水を吐出させることにより、洗浄水を液膜状にすることができる。また、リム吐水口の断面形状を扁平にすることによっても、吐出された洗浄水を液膜状にすることができる。
【００４０】
第２リム吐水口２４から斜め下方に流下して、洗浄水ガイド部である段部４０ｂに衝突した洗浄水は、段部４０ｂに沿って汚物受け面１６の中央に向かって流下する。ここで、段部４０ｂと壺部２０の側部稜線２０ｂは、滑らかに連なるように形成されているので、段部４０ｂに沿って流下した洗浄水は、液膜の状態を保ったまま、壺部２０の左側の側壁面３８に沿って壺部２０の中に流下する（図３の矢印Ｆ２）。このように、第２リム吐水口２４から吐出された洗浄水の多くは、吐出される際の水勢、及び段部４０ｂに沿って流下（落下）する際の重力によって勢いよく壺部２０に流入する。強い水勢で壺部２０に流入した大量の洗浄水は、壺部２０内の溜水に縦方向の旋回流を強力に誘発する。また、液膜吐水部である第２リム吐水口２４から液膜状になって吐水され、洗浄水ガイド部（段部４０ｂ）によって壺部２０の中に導かれた液膜状の洗浄水は、第１リム吐水口２２から吐水される線状のような一般的な洗浄水よりも、水平方向の旋回成分を効果的に相殺し、強力な縦方向の旋回流を形成することができる。これにより、壺部２０の溜水に浮遊していた汚物が強力に溜水内に沈められ、汚物は排水トラップ管路１２を通って効率良く排出される。
【００４１】
次に、図１０及び図１１を主に参照して、本実施形態による水洗大便器１における洗浄動作を説明する。図１０は本発明の実施形態による水洗大便器の洗浄水の流れの様子を示す概略平面図であり、図１１は、本発明の実施形態による水洗大便器の洗浄水の流れの様子を示す概略断面図である。
【００４２】
先ず、使用者が操作スイッチ（図示せず）をＯＮ操作すると、貯水タンクの排水口（図示せず）が開き、洗浄水が、便器本体２の共通通水路１０内に流入し、この共通通水路１０から分岐した第１通水路２６及び第２通水路２８を経て、第１リム吐水口２２及び第２リム吐水口２４のそれぞれから吐水される。
【００４３】
第１リム吐水口２２から吐水された洗浄水は、ボウル部８のリム部１８の内周に形成された導水路３０に沿って、まず、前方に向けて流れ、ボウル部８の前方端を通過した後は、後方に向けて流れる水平方向の旋回流を形成する（図１０の矢印Ｆ３）。このとき、洗浄水の一部は、旋回しながらボウル部８の中央に向けて落下し（図１０、図１１の矢印Ｆ４）、汚物受け面１６を洗浄する。また、第２リム吐水口２４からも洗浄水が吐水され、その多くの部分が、第２リム吐水口２４に対向して設けられた段部４０ｂ（洗浄水ガイド部）に衝突する（図１０の矢印Ｆ５）。段部４０ｂに衝突した洗浄水は、この段部４０ｂを形成する斜面と滑らかに連続して設けられた壺部２０左側の側壁面３８に沿って、壺部２０の溜水内に落下する。壺部２０に流入した洗浄水は、壺部２０内の溜水に縦方向の旋回流（図１０、図１１の矢印Ｆ６）を引き起こし、溜水に浮遊していた汚物を溜水の中に沈め、沈められた汚物は、導入管路３２の入口３２ａを通って排水トラップ管路１２から排出される。
【００４４】
本発明の実施形態の水洗大便器によれば、液膜吐水部である第２リム吐水口２４から液膜状になって吐出された洗浄水が、洗浄水ガイド部である段部４０ｂに衝突して壺部２０の中に落下し（図３）、溜水内に縦方向の旋回流を誘発するので、溜水に浮遊した汚物を効率良く溜水の中に沈めることができ、浮遊した汚物を効果的にボウル部から排出することができる。
【００４５】
また、本実施形態の水洗大便器によれば、段部４０ｂ（洗浄水ガイド部）が、壺部２０の側部稜線２０ｂと滑らかに連続しているので（図３）、段部４０ｂに衝突した洗浄水を効率良く壺部２０の中に流入させることができ、第２リム吐水口２４（液膜吐水部）から吐出される洗浄水の水勢を大きく損なうことなく、壺部２０の中で強力な縦方向の旋回流を誘発することができる。
【００４６】
さらに、本実施形態の水洗大便器によれば、汚物受け面１６の後部に壺部２０に連なる凹部４０が形成され、この凹部４０の一方の端部（段部４０ｂ）が洗浄水ガイド部として機能するので、段部４０ｂに衝突した洗浄水は即座に凹部４０の中に落ち、凹部４０と連なる壺部２０に流入する。このため、第２リム吐水口２４から液膜状になって吐出された洗浄水の多くを、比較的短い経路で壺部２０に流入させることができ、壺部の中で強力な縦方向の旋回流を誘発することができる。
【００４７】
また、本実施形態の水洗大便器によれば、凹部４０が壺部２０からボウル部８の後端まで形成されているので、ボウル部８の後端に沿って流れた洗浄水が、凹部４０の一方の端部（段部４０ｂ）に衝突して、凹部４０の中に落下する。この結果、第２リム吐水口２４から液膜状になって吐出された洗浄水の大部分を、段部４０ｂによって壺部２０に流入させることができ、壺部２０の中で強力な縦方向の旋回流を誘発することができる。
【００４８】
さらに、本実施形態の水洗大便器によれば、凹部４０がボウル部８の後方に向かって幅が広くなる概ね扇形に形成されているので、第２リム吐水口２４から液膜状になって吐出され、ボウル部８の後部に流れた洗浄水の多くを凹部４０の中に集めることができ、集めた洗浄水を壺部２０の中に集中的に流入させることができる。この結果、壺部２０の中で強力な縦方向の旋回流を誘発することができ、溜水に浮遊した汚物を効率的に沈め、排出することができる。
【００４９】
また、本実施形態の水洗大便器によれば、第２リム吐水口２４は、洗浄水の吐出方向に下り傾斜した下り傾斜面４２に沿って吐出することにより、洗浄水を液膜状にするので、吐出された洗浄水を効率良く液膜状にすることができる。液膜状の洗浄水は、壺部２０に流入すると強力な縦方向の旋回流を誘発することができるので、溜水に浮遊した汚物を効率的に沈め、排出することができる。
【００５０】
さらに、本実施形態の水洗大便器によれば、第２リム吐水口２４と段部４０ｂがボウル部８後方の左右に、対向するように設けられているので、第２リム吐水口２４から吐出された洗浄水は至近距離で段部４０ｂ（洗浄水ガイド部）に衝突する。このため、第２リム吐水口２４から吐出された洗浄水は、吐出されたときの強い水勢を概ね維持したまま壺部２０に流入する。この結果、壺部２０の中で強力な縦方向の旋回流を誘発することができ、溜水に浮遊した汚物を効率的に沈め、排出することができる。
【００５１】
また、本実施形態の水洗大便器によれば、第２リム吐水口２４が、汚物受け面１６の凹部４０が形成された領域の内側に配置されているので、第２リム吐水口２４から吐出された洗浄水の大部分を凹部４０の中に落とし込むことができ、凹部４０の中に落ちた洗浄水を段部４０ｂによって壺部２０に流入させることができる。これにより、大量の洗浄水を一気に壺部２０に流入させることができ、壺部２０の中で強力な縦方向の旋回流が誘発され、溜水に浮遊した汚物を効率的に沈め、排出することができる。
【００５２】
さらに、本実施形態の水洗大便器によれば、吐出された洗浄水により汚物受け面１６上に水平方向の旋回流を形成する第１リム吐水口２２が、第２リム吐水口２４とは別に備えられているので、汚物受け面１６に付着した汚物を効果的に洗い落とすことができ、ボウル部８全体を効果的に洗浄することができる。
【００５３】
以上、本発明の好ましい実施形態を説明したが、上述した実施形態に種々の変更を加えることができる。特に、上述した実施形態においては、本発明を洗い落とし式の水洗大便器に適用していたが、サイホン式の水洗大便器や、ゼット口を有するサイホンゼット式の水洗大便器に本発明を適用することもできる。
【符号の説明】
【００５４】
１    水洗大便器
２    便器本体
６    スカート部
８    ボウル部
１０    共通通水路
１２    排水トラップ管路
１６    汚物受け面
１８    リム部
１８ａ  内周面
２０    壺部
２０ａ、２０ｂ  側部稜線
２０ｃ  後部稜線
２２    第１リム吐水口（リム吐水部）
２４    第２リム吐水口（液膜吐水部）
２６    第１通水路
２８    第２通水路
３０    導水路
３２    導入管路
３２ａ  入口
３４ａ  上昇管路
３４ｂ  下降管路
３６    底面
３８    側壁面
４０    凹部
４０ａ  段部
４０ｂ  段部（洗浄水ガイド部）
４０ｃ  底面
４２    下り傾斜面
【図１】
2018044401.tif 000003
【図２】
2018044401.tif 000004
【図３】
2018044401.tif 000005
【図４】
2018044401.tif 000006
【図５】
2018044401.tif 000007
【図６】
2018044401.tif 000008
【図７】
2018044401.tif 000009
【図８】
2018044401.tif 000010
【図９】
2018044401.tif 000011
【図１０】
2018044401.tif 000012
【図１１】
2018044401.tif 000013